(57)【特許請求の範囲】
【請求項１】
放射ビームを生成するように動作可能な放射システムと、
フレームと、
基板を保持するための基板テーブルであって、前記フレームに移動可能に搭載され、前記基板のターゲット部分が前記放射ビームを受光するよう配置されるように配置される、基板テーブルと、
前記フレームに対して前記基板テーブルを移動させるように動作可能なスキャン機構と、
前記フレームに対する前記基板の面内でのスキャン方向の前記放射システムの速度を決定するように動作可能な機構と、
を備え、前記放射システム及び前記フレームの相対運動の結果としての前記基板により受光される放射のドーズ量の変動を低減させるように、前記放射ビームのパワーが、ベースパワーに、前記フレームに対する前記基板テーブルのスキャン速度と前記フレームに対する前記面内での前記スキャン方向の前記放射システムの前記速度とのベクトル和に比例する係数を乗算した値と等しくなるように、前記放射ビームの前記パワーを制御するように動作可能である調整機構が、前記放射システムに設けられている、リソグラフィ装置。
【請求項２】
前記フレームに対する前記放射システムの前記速度を決定するように動作可能である前記機構が、前記放射システムに搭載された１つ以上の加速度計を含む、請求項１に記載のリソグラフィ装置。
【請求項３】
前記フレームに対する前記放射システムの前記速度を決定するように動作可能である前記機構が、前記放射システムから出射する放射帯の移動を測定するように動作可能な、前記フレームに搭載された１つ以上のカメラを含む、請求項１又は２に記載のリソグラフィ装置。
【請求項４】
前記係数が１つ以上の調整可能パラメータを含む、請求項１から３のいずれかに記載のリソグラフィ装置。
【請求項５】
前記係数が、前記フレームに対する前記基板テーブルのスキャン速度と、パラメータｆ及び前記フレームに対する前記基板の面内でのスキャン方向の前記放射ビームの速度の積と、のベクトル和に比例する、請求項４に記載のリソグラフィ装置。
【請求項６】
前記係数が、前記和と前記フレームに対する前記基板テーブルの前記スキャン速度との比である、請求項１から５のいずれかに記載のリソグラフィ装置。
【請求項７】
前記放射システムが、放射ビームを生成するように動作可能な放射源と、前記放射ビームを調節するように動作可能な照明システムと、を備える、請求項１から６のいずれかに記載のリソグラフィ装置。
【請求項８】
前記放射システムが射出スリットを備え、前記フレームに対する前記基板の面内での前記スキャン方向での前記放射システムの前記速度が前記射出スリットの速度と等しい、請求項１から７のいずれかに記載のリソグラフィ装置。
【請求項９】
パターニングデバイスを支持するための支持構造をさらに備え、前記放射ビームが前記基板のターゲット部分によって受光される前にその断面に前記パターニングデバイスがパターンを付与するように、前記放射システムが前記放射ビームを前記パターニングデバイスに投影するように配置されている、請求項１から８のいずれかに記載のリソグラフィ装置。
【請求項１０】
前記支持構造が前記フレームに移動可能に搭載され、前記スキャン機構がさらに、前記フレームに対して前記支持構造を移動させるように動作可能である、請求項９に記載のリソグラフィ装置。
【請求項１１】
前記放射ビームを前記基板の前記ターゲット部分に放射帯として投影するための投影システムをさらに備える、請求項１から１０のいずれかに記載のリソグラフィ装置。
【請求項１２】
前記投影システムが前記フレームに接続されている、請求項１１に記載のリソグラフィ装置。
【請求項１３】
前記放射システムがレーザを含む、請求項１から１２のいずれかに記載のリソグラフィ装置。
【請求項１４】
基板を提供することと、
放射システムを用いて放射のビームを提供することと、
パターニングデバイスを用いて前記放射ビームの断面にパターンを付与することと、
前記パターン付与された放射ビームを前記基板のターゲット部分に投影することと、
スキャン機構を用いて、前記パターン付与された放射ビームが前記基板の表面上を移動するように前記基板をフレームに対して移動させることと、
前記フレームに対する前記基板の面内でのスキャン方向の前記放射システムの速度を決定することと、
前記放射システム及び前記フレームの相対運動の結果としての前記基板により受光される放射のドーズ量の変動を低減させるように、前記放射ビームのパワーが、ベースパワーに、前記フレームに対する前記基板テーブルのスキャン速度と前記フレームに対する前記面内での前記スキャン方向の前記放射システムの前記速度とのベクトル和に比例する係数を乗算した値と等しくなるように、前記放射ビームの前記パワーを制御することと、
を備える方法。
【請求項１５】
フレームに対する前記基板の面内での放射システムの速度を受信することと、
前記放射システム及び前記フレームの相対運動の結果としての、前記フレームに対して移動する基板によって受光される放射のドーズ量の変動を低減させるように、前記放射ビームのパワーが、ベースパワーに、前記フレームに対する前記基板テーブルのスキャン速度と前記フレームに対する前記基板の面内での前記スキャン方向の前記放射システムの前記速度とのベクトル和に比例する係数を乗算した値と等しくなるように、放射源により出力される放射ビームのパワーを制御するための命令を、前記放射源に与えることと、
を備える方法。
【請求項１６】
前記放射システムの速度を示す前記量がスキャン方向での前記放射システムの加速度であり、前記方法が、前記加速度を分解能時間で積分して、前記分解能時間中の前記スキャン方向での前記放射システムの平均速度を計算するステップを備える、請求項１５に記載の方法。
【請求項１７】
前記係数が１つ以上の調整可能パラメータを含む、請求項１５又は１６に記載の方法。
【請求項１８】
前記係数が、前記フレームに対する前記基板のスキャン速度と、パラメータｆ及び前記フレームに対する前記基板の面内でのスキャン方向の前記放射ビームの速度の積と、のベクトル和に比例する、請求項１７に記載の方法。
【請求項１９】
前記係数が、前記和と前記フレームに対する前記基板テーブルの前記スキャン速度との比である、請求項１５から１８のいずれかに記載の方法。
【請求項２０】
請求項１５から１９のいずれか１項に記載の方法を実施するように動作可能なコンピュータプログラム。
【発明の詳細な説明】
【技術分野】
【０００１】
関連出願の相互参照
[0001]  本出願は、２０１４年９月１５日に出願された欧州特許出願第１４１８４７７６．４号の優先権を主張する。この出願は引用によりその全体が本願に含まれるものとする。
【０００２】
[0002]  本出願は、リソグラフィ装置及びデバイス製造方法に関する。
【背景技術】
【０００３】
[0003]  リソグラフィ装置は、所望のパターンを基板のターゲット部分に適用する機械である。リソグラフィ装置は、例えば、集積回路（ＩＣ）の製造に使用可能である。このような場合、代替的にマスク又はレチクルとも呼ばれるパターニングデバイスを使用して、ＩＣの個々の層に対応する回路パターンを生成することができる。このパターンを、放射感応性材料（レジスト）の層を有する基板（例えばシリコンウェーハ）上のターゲット部分（例えば１つ又は幾つかのダイの一部を含む）に結像することができる。一般的に、１枚の基板は、順次露光される隣接したターゲット部分のネットワークを含んでいる。従来のリソグラフィ装置は、基板を所与の方向（「スキャン」方向）と平行あるいは逆平行に同期的にスキャンしながら、パターンを所与の方向（「スキャン」方向）に放射ビームでスキャンすることにより、各ターゲット部分が照射される、いわゆるスキャナとを含む。
【０００４】
[0004]  基板のターゲット部分上の各ポイントによって受光される放射ドーズ量を高精度に制御できるリソグラフィ装置を提供することが望ましい。基板のターゲットエリアの一部によって受光される放射ドーズ量は、その部分により受光される単位面積当たりのエネルギ量として定義することができる。放射ドーズ量を高精度に制御すると、基板上に形成されるフィーチャのクリティカルディメンションの変動を制御することが可能となる。
【０００５】
[0005]  本発明の目的は、本明細書で又は他で特定される従来技術の問題の１つ以上に少なくとも部分的に対処するリソグラフィ装置及びデバイス製造方法を提供することである。
【発明の概要】
【０００６】
[0006]  本発明の一態様によれば、リソグラフィ装置が提供される。この装置は、放射ビームを生成するように動作可能な放射システムと、フレームと、基板を保持するための基板テーブルであって、フレームに移動可能に搭載され、基板のターゲット部分が放射ビームを受光するよう配置されるように配置される、基板テーブルと、フレームに対して基板テーブルを移動させるように動作可能なスキャン機構と、フレームに対する放射システムの速度を示す量を決定するように動作可能な機構と、を備え、放射システム及び前記フレームの相対運動の結果としての基板により受光される放射のドーズ量の変動を低減させるように、フレームに対する放射システムの速度を示す量に応じて放射ビームのパワーを制御するように動作可能である調整機構が、放射システムに設けられている。
【０００７】
[0007]  放射ビームは放射帯として基板のターゲット部分に投影することができ、リソグラフィ装置は、基板テーブルを移動させることにより、この放射帯に対して基板を移動させるように動作可能である。スキャン露光中、基板上のポイントに送出される放射ドーズ量は、そのポイントについての放射ビームの放射照度の時間積分によって与えられる。従って、基板上の所与のポイントにより受光される放射ドーズ量は、放射帯が基板の表面上を移動する速度に依存する。例えば、放射ビームのパワーが一定のままである場合、放射帯が基板の表面上を移動する速度が遅くなればなるほど、放射ドーズ量は大きくなる。
【０００８】
[0008]  放射システムとフレームの相対移動があると、放射帯が基板の表面上を移動する速度に影響を与え、従って基板により受光される放射ドーズ量に影響を与える。例えば、スキャン機構によってフレームに対して基板テーブルが移動するとフレームに対して放射システムが振動するように、放射システムはフレームに対して弱く（ｌｏｏｓｅｌｙ）機械的に結合され得る。フレームに対する基板テーブルの運動方向でそのような振動があると、放射帯が基板の表面上を移動する速度、従って基板により受光される放射ドーズ量が、時間と共に周期変動する（ｏｓｃｉｌｌａｔｅ）。本発明の第１の態様では、放射ビームのパワーを変化させることで、基板により受光されるドーズ量のそのような変動を少なくとも部分的に補償することができる。
【０００９】
[0009]  一般的に、基板上の各ポイントによって受光される放射ドーズ量を高精度に制御することが望ましい。ドーズ量は、基板により受光される単位面積当たりのエネルギ量として定義される。例えば、基板上に形成されるフィーチャのクリティカルディメンションの変動が所望の閾値未満であるよう充分に高精度にドーズ量を制御することが望ましい場合がある。
【００１０】
[0010]  フレームに対する放射システムの速度を示す量を決定するように動作可能である機構は、放射システムに搭載された加速度計を含み得る。フレームに対する放射システムの速度を示す量を決定するように動作可能である機構は、放射システムに又は放射システム及びフレームの双方に搭載された複数の加速度計を含み得る。
【００１１】
[0011]  フレームに対する放射システムの速度を示す量を決定するように動作可能である機構は、放射システムから出射する放射帯の移動を測定するように動作可能な、フレームに搭載されたカメラを含み得る。フレームに対する放射システムの速度を示す量を決定するように動作可能である機構は、放射システムから出射する放射帯の移動を測定するように動作可能な、フレームに搭載された複数のカメラを含み得る。
【００１２】
[0012]  放射ビームのパワーが、ベースパワーに、フレームに対する放射システムの速度を示す量に依存する係数（ｆａｃｔｏｒ）を乗算した値と等しくなるように、調整機構が放射ビームのパワーを制御するように動作可能であり得る。ベースパワーは、放射システムがフレームに対して静止している場合に所望の放射ドーズ量を達成するパワーとすればよい。係数は時間と共に変動してもよい。ベースパワーは、実質的に時間非依存であってもよい。あるいは、ベースパワーは時間と共に変動してもよい。例えばベースパワーは、リソグラフィ装置内の１つ以上の時間依存の変動を少なくとも部分的に補償するように変動させてもよい。
【００１３】
[0013]  係数は、フレームに対する基板テーブルのスキャン速度と、フレームに対する基板の面内でのスキャン方向の放射ビームの速度と、のベクトル和に比例してもよい。係数は、この和とフレームに対する基板テーブルのスキャン速度との比であってもよい。フレームに対する基板の面内でのスキャン方向の放射ビームの速度は、フレームに対する放射システムの速度を、放射システムと基板の面との間で放射ビームに適用される縮小率で除算することによって与えることができる。
【００１４】
[0014]  係数は１つ以上の調整可能パラメータを含んでもよい。例えば係数は、フレームに対する基板テーブルのスキャン速度と、パラメータｆ及びフレームに対する基板の面内でのスキャン方向の放射ビームの速度の積と、のベクトル和に比例してもよい。係数は、この和とフレームに対する基板テーブルのスキャン速度との比であってもよい。
【００１５】
[0015]  放射システムは、放射ビームを生成するように動作可能な放射源と、放射ビームを調節するように動作可能な照明システムと、を備えることができる。
【００１６】
[0016]  放射システムは射出スリットを備えることができる。射出スリットは照明システムの一部を形成し得る。射出スリットに、１つ以上の可動の調整可能フィンガを設けることができる。射出スリットはさらに、２つの可動ブレードを含み得る。各ブレードは、少なくとも、スリットを少なくとも部分的に隠す位置とスリットを隠さない位置との間で移動可能とすればよい。各ブレードは、スリットを完全に隠す位置まで移動可能であってもよい。
【００１７】
[0017]  リソグラフィ装置は、パターニングデバイスを支持するための支持構造をさらに備えることができる。放射ビームが基板のターゲット部分によって受光される前にその断面にパターニングデバイスがパターンを付与するように、放射システムが放射ビームをパターニングデバイスに投影するように配置すればよい。
【００１８】
[0018]  リソグラフィ装置は、放射ビームを基板のターゲット部分に放射帯として投影するための投影システムをさらに備えることができる。投影システムはフレームに接続することができる。
【００１９】
[0019]  放射システムはレーザを含み得る。レーザはエキシマレーザであってもよい。
【００２０】
[0020]  本発明の第２の態様によれば、基板を提供することと、放射システムを用いて放射のビームを提供することと、パターニングデバイスを用いて放射ビームの断面にパターンを付与することと、パターン付与された放射ビームを基板のターゲット部分に投影することと、スキャン機構を用いて、パターン付与された放射ビームが基板の表面上を移動するように基板をフレームに対して移動させることと、フレームに対する放射システムの速度を示す量を決定することと、放射システム及びフレームの相対運動の結果としての基板により受光される放射のドーズ量の変動を低減させるように、フレームに対する放射システムの速度を示す量に応じて放射ビームのパワーを制御することと、を備える方法が提供される。
【００２１】
[0021]  当業者に容易に明らかとなるように、上述の及び後述の本発明の様々な態様及び特徴は、本発明の他の様々な態様及び特徴と組み合わせることができる。
【図面の簡単な説明】
【００２２】
[0022]  対応する参照符号が対応する部分を示す添付の概略図を参照しながら以下に本発明の実施形態について説明するが、これは単に例示としてのものに過ぎない。
【００２３】
【図１】本発明の一実施形態に従ったリソグラフィ装置を示す。
【図２】イルミネータのフィンガを後退させた場合の、フレームに対するイルミネータの（スキャン方向の）振動から生じる３シグマドーズ量変動（換算単位）のシミュレーションのグラフを、第１の強度分布についての振動の周波数の関数として示す。
【図３】図２のグラフの拡大部分をさらに小さい周波数スケールで示す。
【図４】イルミネータのフィンガを部分的に挿入した場合の、フレームに対するイルミネータの振動から生じる３シグマドーズ量変動（換算単位）のシミュレーションのグラフを、第２の強度分布についての振動の周波数の関数として示す。
【発明を実施するための形態】
【００２４】
[0023]  本文ではＩＣの製造におけるリソグラフィ装置の使用に特に言及しているが、本明細書で説明するリソグラフィ装置には他の用途もあることを理解されたい。例えば、これは、集積光学システム、磁気ドメインメモリ用誘導及び検出パターン、液晶ディスプレイ（ＬＣＤ）、薄膜磁気ヘッドなどの製造である。こうした代替的な用途に照らして、本明細書で「ウェーハ」又は「ダイ」という用語を使用している場合、それぞれ、「基板」又は「ターゲット部分」という、より一般的な用語と同義と見なしてよいことが、当業者には認識される。本明細書に述べている基板は、露光前又は露光後に、例えばトラック（通常はレジストの層を基板に塗布し、露光したレジストを現像するツール）、メトロロジーツール又はインスペクションツールで処理することができる。適宜、本明細書の開示は、以上及びその他の基板処理ツールに適用することができる。さらに基板は、例えば多層ＩＣを生成するために、複数回処理することができ、したがって本明細書で使用する基板という用語は、既に複数の処理済み層を含む基板も指すことができる。
【００２５】
[0024]  本明細書で使用する「放射」及び「ビーム」という用語は、イオンビーム又は電子ビームなどの粒子ビームのみならず、紫外線（ＵＶ）放射（例えば、３６５ｎｍ、２４８ｎｍ、１９３ｎｍ、１５７ｎｍもしくは１２６ｎｍ、又はこれら辺りの波長を有する）及び極端紫外線光（ＥＵＶ）放射（例えば、５ｎｍ〜２０ｎｍの範囲の波長を有する）を含むあらゆるタイプの電磁放射を網羅する。
【００２６】
[0025]  本明細書で使用する「パターニングデバイス」という用語は、基板のターゲット部分にパターンを生成する等のため、放射ビームの断面にパターンを付与するために使用し得るデバイスを指すものとして広義に解釈されるものとする。ここで、放射ビームに付与されるパターンは、基板のターゲット部分における所望のパターンに正確には対応しない場合があることに留意するべきである。一般的に、放射ビームに付与されるパターンは、集積回路等のターゲット部分に生成されるデバイスの特定の機能層に相当する。
【００２７】
[0026]  パターニングデバイスは透過性又は反射性でよい。パターニングデバイスの例には、マスク、プログラマブルミラーアレイ、及びプログラマブルＬＣＤパネルがある。マスクはリソグラフィにおいて周知のものであり、これには、バイナリマスク、レベンソン型（ａｌｔｅｒｎａｔｉｎｇ）位相シフトマスク、ハーフトーン型（ａｔｔｅｎｕａｔｅｄ）位相シフトマスクのようなマスクタイプ、さらには様々なハイブリッドマスクタイプも含まれる。プログラマブルミラーアレイの一例は、小型ミラーのマトリクス構成を使用し、ミラーの各々は、入射する放射ビームを異なる方向に反射するように個別に傾けることができる。このようにして、反射ビームがパターニングされる。
【００２８】
[0027]  支持構造がパターニングデバイスを支持する。支持構造は、パターニングデバイスの向き、リソグラフィ装置の設計、さらに、例えばパターニングデバイスが真空環境で保持されているかといった他の条件に応じた方法で、パターニングデバイスを保持する。支持は、機械式クランピング、真空式、又は、例えば真空条件下での静電式クランピングのような他のクランピング技法を使用することができる。支持構造は、例えばフレーム又はテーブルとすることができ、必要に応じて固定式又は可動式とすればよく、パターニングデバイスを例えば投影システムに対して確実に所望の位置とすることができる。本明細書における「レチクル」又は「マスク」という用語の使用は、より一般的な用語である「パターニングデバイス」と同義と見なすことができる。
【００２９】
[0028]  本明細書において使用する「投影システム」という用語は、適宜、例えば露光放射の使用、あるいは浸漬液の使用又は真空の使用などの他の要因に対する、屈折光学システム、反射光学システム、及び反射屈折システムを含む、様々なタイプの投影システムを網羅するものとして広義に解釈されるべきである。本明細書において「投影レンズ」という用語を使用した場合、これはさらに一般的な「投影システム」という用語と同義と見なすことができる。
【００３０】
[0029]  また、照明システムは、放射ビームを誘導し、整形し、又は制御するための、屈折光学コンポーネント、反射光学コンポーネント、及び反射屈折光学コンポーネントを含む様々なタイプの光学コンポーネントを包含することができ、そのようなコンポーネントは以下で、まとめて又は単独で「レンズ」とも称される。
【００３１】
[0030]  リソグラフィ装置は、単一の基板テーブル及び単一の支持構造を有することができる。あるいは、リソグラフィ装置は、２つ（デュアルステージ）又はそれ以上の基板テーブル（及び／又は２つ以上の支持構造）を有するタイプでもよい。このような「マルチステージ」機械においては、追加のテーブルを並行して使用するか、１つ以上のテーブルで予備工程を実行しながら１つ以上の他のテーブルを露光に使用することも可能である。
【００３２】
[0031]  リソグラフィ装置は、投影システムの最終要素と基板との間の空間を充填するように、基板を例えば水のような比較的高い屈折率を有する液体に浸すタイプでもよい。液浸技法は、投影システムの開口数を大きくするため当技術分野では周知である。
【００３３】
[0032]  図１は、本発明の特定の実施形態に従ったリソグラフィ装置を概略的に示す。この装置は、
−放射ビームＰＢ（例えばＵＶ放射又はＤＵＶ放射）を調節するための照明システム（イルミネータ）ＩＬと、
−フレームＭＦと、
−ベースフレームＢＦと、
−パターニングデバイス（例えばマスク）ＭＡを支持するための支持構造（例えばマスクテーブル）ＭＴと、
−基板（例えばレジストコートウェーハ）Ｗを保持するための基板テーブル（例えばウェーハテーブル）ＷＴと、
−パターニングデバイスＭＡによって放射ビームＰＢに付与されたパターンを基板Ｗのターゲット部分Ｃ（例えば１つ以上のダイを含む）に結像するように構成された投影システム（例えば屈折投影レンズ）ＰＬと、
を備える。
【００３４】
[0033]  ベースフレームＢＦは、地上に支持することができる。フレームＭＦは、フレームＭＦをベースフレームＢＦ上に支持する音響減衰マウントＤＭを用いることにより、ベースフレームＢＦの振動のような外部の影響から実質的に分離された防振フレームである。これらの音響減衰マウントＤＭは、ベースフレームＢＦによって及び／又は分離フレームＭＦ自体によって生じる振動を分離するように能動的に制御することができる。
【００３５】
[0034]  投影システムＰＬは分離フレームＭＦに接続されている。支持構造ＭＴは、第１の位置決めデバイスＰＭを介してフレームＭＦに移動可能に搭載されている。第１の位置決めデバイスＰＭを用いて、パターニングデバイスＭＡを移動させ、これをフレームＭＦに対して（さらには、フレームＭＦに接続された投影システムＰＬに対して）高精度に位置決めすることができる。基板テーブルＷＴは、第２の位置決めデバイスＰＷを介してフレームＭＦに移動可能に搭載されている。第２の位置決めデバイスＰＷを用いて、基板Ｗを移動させ、これをフレームＭＦに対して（さらには、フレームＭＦに接続された投影システムＰＬに対して）高精度に位置決めすることができる。第２の位置決めデバイスＰＷをスキャン機構とも称する場合がある。あるいは、第１及び第２の位置決めデバイスＰＭ、ＰＷをまとめてスキャン機構と称することがある。支持構造ＭＴ及び基板テーブルＷＴをまとめてオブジェクトテーブルと称することがある。
【００３６】
[0035]  本明細書に示すように、装置は透過型（例えば透過性マスクを用いる）である。あるいは、装置は反射型（例えば上記したようなタイプのプログラマブルミラーアレイを用いる）としてもよい。
【００３７】
[0036]  イルミネータＩＬは放射源ＳＯから放射ビームを受光する。例えば放射源ＳＯがエキシマレーザである場合、放射源ＳＯとリソグラフィ装置とは別々の構成要素であってもよい。このような場合、放射源ＳＯはリソグラフィ装置の一部を形成すると見なされず、放射ビームＢは、例えば適切な誘導ミラー及び／又はビームエクスパンダを含むビームデリバリシステムＢＤを利用することで、放射源ＳＯからイルミネータＩＬへと渡される。他の事例では、例えば放射源が水銀ランプである場合、放射源がリソグラフィ装置の一体部分であってもよい。イルミネータＩＬを放射システムと呼ぶことができる。あるいは、放射源ＳＯ及びイルミネータＩＬを、必要に応じてビームデリバリシステムＢＤと共に、まとめて放射システムと呼ぶことができる。
【００３８】
[0037]  イルミネータＩＬは、ビームの角度強度分布を調整するための調整手段ＡＭを含むことができる。通常、イルミネータの瞳面における強度分布の外側及び／又は内側半径範囲（一般にそれぞれ、σ−ｏｕｔｅｒ及びσ−ｉｎｎｅｒと呼ばれる）を調節することができる。また、イルミネータＩＬは一般的に、インテグレータＩＮ及びコンデンサＣＯのような他の様々なコンポーネントも備えている。
【００３９】
[0038]  調節された放射ビームＰＢの形状及び強度分布は、イルミネータＩＬの光学部品によって規定される。イルミネータＩＬは、調節された放射ビームＰＢが通過するスリットＳＬを備える。スリットＳＬは、複数の可動フィンガによって画定される、細長い、概ね矩形のアパーチャを含む。スリットは、長い寸法（長さと称する場合がある）及び短い寸法（幅と称する場合がある）を有することができる。各可動フィンガは、少なくとも放射ビームの経路内に配置されない後退位置と放射ビームを部分的に遮る挿入位置との間で、個別に移動可能である。フィンガを移動させることにより、スリットＳＬの形状及び／又は強度分布を調整できる。フィンガはフィールド面内に存在せず、フィールドはフィンガの周辺部にある。従って、フィンガは放射ビームＰＢをシャープに遮断しない。フィンガの後退位置と挿入位置との間の移動は、スリットＳＬの長さに垂直な方向とすることができる。フィンガはペアで配置し、各ペアはスリットＳＬの各側に１つずつフィンガを含むようにすればよい。フィンガのペアはスリットＳＬの長さに沿って配置することができる。フィンガのペアを用いて、スリットＳＬの長さに沿って放射ビームＰＢの異なる減衰レベルを与えることができる。
【００４０】
[0039]  放射ビームＰＢの強度分布は、複数のフィンガ（及びイルミネータＩＬの光学部品）の位置に依存し得る。放射ビームＰＢの強度関数は、スキャン方向に相当するスリットＳＬの幅方向で変動し得る。スリットＳＬの幅方向の強度関数の形状を、放射ビームＰＢのプロファイルと呼ぶことができる。放射ビームＰＢのプロファイルは、スリットＳＬの長さに沿ってほぼ同一であり得る。これに加えて又はこの代わりに、スリットＳＬの幅方向の放射ビームＰＢの強度プロファイルの積分は、スリットＳＬの長さに沿ってほぼ一定であり得る。これを達成するには、フィンガのペアをそれぞれ異なる量ずつ放射ビームＰＢの経路内に挿入して、スリットＳＬの長さに沿って異なる量ずつ放射ビームを減衰させればよい。フィンガのペアが異なる量ずつ放射ビームＰＢの経路内に挿入されるこのような実施形態では、放射ビームＰＢのプロファイルはスリットＳＬの長さに沿ってわずかに変動する。
【００４１】
[0040]  イルミネータＩＬは、２つのブレード（図示せず）を備えている。２つのブレードの各々はスリットＳＬの長さに対して概ね平行であり、２つのブレードはスリットの反対側に配置されている。各ブレードは、放射ビームの経路内に配置されない後退位置と放射ビームを部分的に遮る挿入位置との間で、個別に移動可能である。ブレードを放射ビームの経路内に移動させることで、放射ビームＰＢのプロファイルの上部を切り、これによってスキャン方向で放射ビームＰＢのフィールドの範囲を限定する。
【００４２】
[0041]  イルミネータＩＬは、断面において所望の均一性及び強度分布を有する調節された放射ビームＰＢを与える。
【００４３】
[0042]  イルミネータＩＬのスリットＳＬから出射した放射ビームＰＢは、支持構造ＭＴ上に保持されたパターニングデバイス（例えばマスク）ＭＡに入射する。パターニングデバイスＭＡを横断したビームＰＢは投影システムＰＬを通過し、投影システムＰＬはこのビームを基板Ｗのターゲット部分Ｃ上に集束させる。第２の位置決めデバイスＰＷ及び位置センサＩＦ（例えば干渉計デバイス）を利用して、例えばビームＰＢの経路に異なるターゲット部分Ｃを位置決めするように、基板テーブルＷＴをフレームＭＦに対して高精度に移動させることができる。同様に、第１の位置決めデバイスＰＭ及び別の位置センサ（図１には明示されていない）を用いて、例えばマスクライブラリからの機械的な取り出し後又はスキャン中に、フレームＭＦに対してパターニングデバイスＭＡを高精度に位置決めできる。一般に、オブジェクトテーブルＭＴ及びＷＴの移動は、位置決めデバイスＰＭ及びＰＷの部分を形成するロングストロークモジュール（粗動位置決め）及びショートストロークモジュール（微動位置決め）を利用して実現できる。パターニングデバイスＭＡ及び基板Ｗは、マスクアライメントマークＭ１、Ｍ２及び基板アライメントマークＰ１、Ｐ２を使用して位置合わせすることができる。
【００４４】
[0043]  投影システムＰＳは、放射ビームＰＢに縮小率を与えて、パターニングデバイスＭＡ上の対応するフィーチャよりも小さいフィーチャを有する像を形成できる。例えば、縮小率４を与えることができる。
【００４５】
[0044]  図示する装置はスキャンモードで使用することができる。スキャンモードでは、支持構造ＭＴ及び基板テーブルＷＴは同期的にスキャンされる一方、ビームＰＢに付与されたパターンがターゲット部分Ｃに投影される（すなわち単一動的露光）。いくつかの実施形態において、支持構造ＭＴ及び基板テーブルＷＴは反対方向にスキャンされる。支持構造ＭＴに対する基板テーブルＷＴの速度及び方向は、投影システムＰＬの拡大（縮小）及び像反転特性によって求めることができる。例えば、投影システムＰＳが縮小率Ｎを与える実施形態では、支持構造ＭＴの速度は基板テーブルＷＴの速度よりもＮ倍速くすることができる。スキャンモードでは、露光フィールドの最大サイズによって、単一動的露光におけるターゲット部分の（非スキャン方向における）幅が制限され、スキャン運動の長さによって、ターゲット部分の（スキャン方向における）高さが決まる。
【００４６】
[0045]  スキャンモードにおいて、投影システムＰＬは、放射ビームを（ある放射帯として）基板Ｗの面内の露光領域に集束する。イルミネータＩＬのブレードを用いて、露光領域内の放射帯の幅を制御することができる。ターゲット部分Ｃの単一動的露光の開始時には、露光領域のどの部分も放射を受光しないように、スリットＳＬの第１のブレードを放射ビームの経路内に配置してシャッタとして機能させればよい。基板のターゲット部分Ｃの前縁が露光領域内に移動すると、第１のブレードが移動して、露光領域内に配置されたターゲット領域Ｃの部分のみが放射を受光する（すなわちターゲット領域外の基板のどの部分も露光されない）ようにする。ターゲット部分Ｃの露光の途中で、双方のブレードを放射ビームの経路外に後退させて、露光領域全体が放射を受光できるようにする。基板のターゲット部分Ｃの前縁が露光領域外に移動すると、第２のブレードが移動して、露光領域内に配置されたターゲット領域Ｃの部分のみが放射を受光するようにする。
【００４７】
[0046]  あるいは、図示する装置は別のモードで使用することができる。この場合、支持構造ＭＴはプログラマブルパターニングデバイスを保持して基本的に静止状態に維持され、基板テーブルＷＴを移動又はスキャンさせながら、放射ビームＰＢに与えられたパターンをターゲット部分Ｃに投影する。このモードでは、一般にパルス状放射源を使用して、基板テーブルＷＴを移動させるたびに、又はスキャン中の連続する放射パルスの間で、プログラマブルパターニングデバイスを必要に応じて更新する。この動作モードは、上記したようなタイプのプログラマブルミラーアレイ等のプログラマブルパターニングデバイスを使用するマスクレスリソグラフィに容易に利用できる。
【００４８】
[0047]  上述した使用モードの組合せ及び／又は変形、又は全く異なる使用モードも利用できる。
【００４９】
[0048]  放射源ＳＯは、基板Ｗ上に放射帯として投影させるため、リソグラフィ装置に放射を送出する。フレームＭＦ（及び投影システムＰＬ）に対して基板テーブルＷＴを移動させることにより、リソグラフィ装置は、放射帯に対して基板Ｗをスキャン速度ｖ0で移動させるように動作可能である。投影システムＰＳが放射ビームに縮小率を与える実施形態では、パターニングデバイスＭＡは放射帯に対して異なる速度で移動することに留意すべきである。露光中、リソグラフィ装置は、放射帯に対して基板Ｗを固定距離だけ移動させるように動作可能である。これを実行することで、リソグラフィ装置は、実質的に固定面積のターゲット部分Ｃを放射に露光するように動作可能である。例えばターゲット部分Ｃは、ダイの一部、１つのダイ、又はいくつかのダイを含み得る。第１のターゲット部分Ｃの露光後、リソグラフィ装置は、第２のターゲット部分Ｃの放射への露光を可能とするため、投影システムＰＬに対して基板Ｗをさらに移動させるよう動作可能である。各々がターゲット部分Ｃの露光とその後の基板Ｗの移動とを含むステップを複数回行って、単一のウェーハを放射に露光させることができる。
【００５０】
[0049]  一般的に、基板Ｗ上の各ポイントにより受光される放射ドーズ量に対する高精度の制御を行うことが望ましい。このドーズ量は、基板Ｗにより受光される単位面積当たりのエネルギ量として定義される。基板Ｗ上に形成されるフィーチャのクリティカルディメンションの変動が所望の閾値未満であるよう充分に高精度にドーズ量を制御することが望ましい場合がある。
【００５１】
[0050]  スキャン露光中、基板Ｗ上のポイント（位置ｒ）に送出される放射ドーズ量Ｅ（ｒ）は、そのポイントについての放射照度Ｉ（ｒ，ｔ）の時間積分によって与えられる。
【数１】
0006297211.tif 000002
【００５２】
ここで、ｔ1は放射帯の前縁が位置ｒを通過する時点であり、ｔ2は放射帯の後縁が位置ｒを通過する時点である。放射照度は、基板Ｗが受光する単位面積当たりのパワーである。
【００５３】
[0051]  放射照度が一定であると仮定される場合、基板Ｗ上の所与のポイントにより受光されるドーズ量は、放射帯がそのポイントを通過するために要する時間（ｔ2−ｔ1）に比例する。放射帯が所与のポイントを通過するために要する時間は、スキャン方向の放射帯の大きさと放射帯が基板Ｗ上を移動する速度ｖとの比によって与えられる。従って、基板Ｗ上の所与のポイントにより受光されるドーズ量は、放射帯が基板Ｗ上を移動する速度ｖに反比例する。一次近似では、放射帯が基板Ｗ上を移動する速度ｖは、スキャン速度ｖ0（すなわち、フレームＭＦに対する基板テーブルＷＴの速度）によって与えられる。
【００５４】
[0052]  スキャンモードにおける動作中、第１及び第２の位置決めデバイスＰＭ、ＰＷを用いてパターニングデバイスＭＡ及び基板Ｗを移動させる。高いスループットのリソグラフィを容易にするため、支持構造ＭＴ及び基板テーブルＷＴは迅速な加速及び減速を行うことができ、結果として、これらが分離フレームＭＦを介して支持されているベースフレームＢＦに対して大きな力を加え得る。これらの誘発された力は、逆移動平衡質量（ｃｏｕｎｔｅｒ−ｍｏｖｉｎｇ  ｂａｌａｎｃｅ  ｍａｓｓｅｓ）によって部分的に補償されるが、この補償は完璧でないので、ある程度の残留力がベースフレームＢＦに加えられる。ベースフレームＢＦにかかる残留力は、ベースフレームＢＦの振動を誘発する。イルミネータＩＬはベースフレームＢＦに直接には搭載されない可能性があるとはいえ、接続はされており、ベースフレームＢＦとイルミネータＩＬとの間には何らかの物理的結合がある。従ってベースフレームＢＦの振動は、ある程度、イルミネータＩＬ（及びベースフレームＢＦ上に直接又は間接的に結合された他のコンポーネント）に伝達される。この結果イルミネータＩＬは、概ね全ての方向に、特にスキャン方向に振動する。そのようなスキャン方向のイルミネータＩＬの振動により、パターニングデバイスＭＡ及び基板Ｗ上に、振動する放射帯が生じる。これらの振動は、放射帯がパターニングデバイスＭＡ及び基板Ｗをスイープする速度ｖを変調させる（ｍｏｄｕｌａｔｅ）と考えられる。結果として、基板Ｗにより受光される放射ドーズ量が、この振動によって変調される。
【００５５】
[0053]  イルミネータＩＬの振動の振幅は、支持構造ＭＴ及び基板テーブルＷＴにより実行される運動、並びにイルミネータＩＬとベースフレームＢＦとの間の結合によって決まる。イルミネータＩＬの振動の振幅は、例えば約１０μｍであり得る。投影システムＰＳが放射ビームに縮小率４を与える場合、これは、基板Ｗに投影される放射帯の振動が約２．５μｍの振幅を有することに相当する。補正されない場合は、この結果として、基板Ｗの異なる部分により受光される放射ドーズ量に著しい変動が生じる恐れがある。
【００５６】
[0054]  本発明の実施形態には、（ａ）フレームＭＦに対するイルミネータＩＬの速度を示す量を決定するように動作可能な機構と、（ｂ）イルミネータＩＬ及びフレームＭＦの相対運動の結果としての基板Ｗにより受光される放射ドーズ量の変動を少なくとも部分的に補償するように、フレームに対する放射システムの速度を示す量に応じて放射ビームＰＢのパワーを変化させるように動作可能な調整機構と、が備えられている。
【００５７】
[0055]  これより、フレームＭＦに対するイルミネータＩＬの速度を示す量を決定するように動作可能な機構の一実施形態について説明する。イルミネータＩＬに加速度計ＡＣが搭載されている。加速度計ＡＣはイルミネータＩＬのスリットＳＬの近くに搭載すればよい。加速度計ＡＣは、スキャン方向でのフレームＭＦに対するイルミネータＩＬの加速度を測定するように動作可能である。測定された加速度を、分解能時間（ｒｅｓｏｌｕｔｉｏｎ  ｔｉｍｅ）で積分して、前記分解能時間中のスキャン方向でのスリットＳＬの瞬間平均速度を計算する。
【００５８】
[0056]  図１において、加速度計ＡＣは、地球の基準フレームに対してイルミネータＩＬの加速度を測定するように動作可能である。いくつかの実施形態では、フレームＭＦに第２の加速度（図示せず）を搭載し、これが地球の基準フレームに対してフレームＭＦの加速度を測定するように動作してもよい。イルミネータＩＬに搭載された加速度計ＡＣ及び分離フレームＭＦに搭載された加速度計を組み合わせて用いて、（スキャン方向の）フレームＭＦに対するイルミネータＩＬの加速度を決定することができる。しかしながら上述のように、精密リソグラフィを実行するため、フレームＭＦは、音響減衰マウントＤＭによって周囲から極めて充分に機械的に分離されている可能性があり、従って地球の基準のフレームに対して静止していると仮定できる。従って、フレームＭＦに対するイルミネータＩＬの加速度を決定するため、単一の加速度計ＡＣを用いればよい。
【００５９】
[0057]  一実施形態において、加速度計ＡＣは、各々がイルミネータＩＬのスリットＳＬの近くに搭載されている３つの別々の加速度計を含む。これにより、スキャン方向（図１の紙面内に向かう方向）におけるスリットの加速度（及び速度）を、スキャン方向におけるスリットの線形運動に相当する成分と、Ｚ軸（図１を参照のこと）を中心としたスリットの回転に相当する成分と、Ｘ軸（図１を参照のこと）を中心としたスリットの回転に相当する成分と、の３つに分解することができる。Ｘ軸及びＺ軸を中心としたスリットの回転に相当する成分は、基板Ｗをスイープする放射帯の速度に寄与せず（しかし、露光領域のサイズには影響を与える）、従って捨てられる。スキャン方向におけるスリットの線形運動に相当する成分のみを用いて、どのように放射ビームＰＢのパワーを変調するべきかを決定する。
【００６０】
[0058]  加速度計ＡＣは、フレームＭＦに対するスキャン方向のイルミネータＩＬの加速度を決定するように、さらにそれを示す信号をコントローラＣＮ（図１に示す）に出力するよう動作可能である。コントローラＣＮはマイクロプロセッサを含み得る。コントローラＣＮは、測定された加速度を分解能時間で積分して、前記分解能時間中のスキャン方向でのスリットの平均速度ｖsを計算するように構成することができる。
【００６１】
[0059]  あるいは、加速度計ＡＣが、測定された加速度を分解能時間で積分して、前記分解能時間中のスキャン方向でのスリットの平均速度ｖsを計算するように構成されてもよい。加速度計ＡＣはさらに、前記分解能時間中のスキャン方向でのスリットの平均速度ｖsを示す信号をコントローラＣＮに出力するように動作可能であってもよい。
【００６２】
[0060]  コントローラＣＮはさらに、放射源ＳＯの１つ以上の変数を制御するため使用され得る制御信号を放射源ＳＯ（例えばレーザ）に出力するように構成されている。
【００６３】
[0061]  上述のように、基板Ｗ上に入射する放射照度が一定であると仮定される場合、基板Ｗ上の所与のポイントにより受光されるドーズ量は、放射帯が基板Ｗ上を移動する速度ｖに反比例する。放射帯が基板Ｗ上を移動する速度ｖは、スキャン速度ｖ0と、分離フレームＭＦに対する基板Ｗの面内でのスキャン方向の放射ビームＰＢの瞬間速度ｖbと、の（ベクトル）和によって与えられる。投影システムによって縮小率が与えられない場合、分離フレームＭＦに対する基板Ｗの面内でのスキャン方向の放射ビームＰＢの速度ｖbは、スリットの速度ｖsに等しい。投影システムＰＳが縮小率Ｎを与える実施形態では、分離フレームＭＦに対する基板Ｗの面内でのスキャン方向の放射ビームＰＢの速度ｖbは、ｖs／Ｎによって与えられる。従って本発明の一実施形態において、コントローラは、以下に従って放射源ＳＯのパワーを制御する制御信号を放射源ＳＯ（例えばレーザ）に出力するように動作可能である。
【数２】
0006297211.tif 000003
【００６４】
ここで、Ｐ（ｔ）は放射源のパワーであり、Ｐ0（ｔ）は、イルミネータＩＬ及びフレームＭＦの相対移動が存在しない場合に（すなわちｖb＝ｖs＝０）、所与の放射ドーズ量を達成するため必要となるベースパワーである。連続放射源では、放射源のパワーＰ（ｔ）は時間の連続関数であり得る。あるいは、パルス状放射源では、放射源のパワーＰ（ｔ）は複数の時間的に離間したパルスを含み得る。パルス状放射源では、各パルスのエネルギを式（２）に従って選択することができる。この場合、Ｐ（ｔ）は時点ｔにおけるパルスのエネルギであり、Ｐ0（ｔ）は、イルミネータＩＬ及びフレームＭＦの相対移動が存在しない場合に所与の放射ドーズ量を達成するため必要となるベースパルスエネルギである。式（２）におけるスキャン速度ｖ0と放射ビームの瞬間速度Ｖb（ｔ）との和はベクトル和であることは認められよう。スキャン速度ｖ0は、フレームＭＦに対する基板Ｗ（パターニングデバイスＭＡではない）の速度である。一般的に、フレームＭＦに対する基板Ｗの速度は、フレームＭＦに対するパターニングデバイスＭＡの速度とは異なる。
【００６５】
[0062]  放射ビームＰＢの瞬間速度Ｖb（又は同様の意味でスリットの速度Ｖs）が決定されるレートは、フレームＭＦに対するイルミネータＩＬの振動の典型的な周波数よりも高くなければならない。イルミネータＩＬとフレームＭＦとの間の結合の性質のため、イルミネータＩＬに誘発される振動の周波数は比較的低いことがある。例えば、８０Ｈｚ未満の周波数のみ、いくつかの実施形態では３０Ｈｚ未満の周波数のみが励起され得る。加速度計のサンプルレートは、例えば１００〜２００Ｈｚのオーダーとすることができる。放射源ＳＯがパルス状放射ビームを生成する実施形態では、スリットの瞬間速度ｖsが決定されるレートは、数キロヘルツのオーダーであり得る放射源ＳＯの繰り返し率ほど高い必要はない。加速度計ＡＣによるスリット速度ｖsの決定と決定との間に生成された放射パルスについては、内挿又は外挿を用いてスリットの速度ｖsを推定すればよい。
【００６６】
[0063]  式（２）に従って、放射源ＳＯのパワー（又は、パルス状放射源では各パルスのパルスエネルギ）を制御することは、イルミネータＩＬ及びフレームＭＦの相対運動の結果としての基板Ｗにより受光される放射ドーズ量の変動を許容可能レベルまで低減させるには充分であり得る。しかしながら一般的に、基板Ｗに入射する放射照度は時間と共に変動し得る。放射照度（式（１）を参照のこと）は、基板Ｗによって受光される単位面積当たりのパワーであり、以下によって与えられる。
【数３】
0006297211.tif 000004
【００６７】
ここで、ＩSO（ｔ）は放射ビームのパワー密度であり、ｓ（ｒ，ｔ）は、イルミネータＩＬにより出力される放射帯の空間プロファイルを記述する無次元分布であり、ｍ（ｒ）は、パターニングデバイスＭＡにより放射ビームに付与されるパターンを表す無次元分布である。以下の検討では、簡略化のため、パターニングデバイスＭＡにより放射ビームに付与されるパターンから生じるエネルギドーズ量に対する寄与は無視される。従って、以下においてｍの値はｍ＝１に設定される。
【００６８】
[0064]  放射帯のプロファイルｓ（ｒ，ｔ）は、イルミネータＩＬの光学コンポーネントによって決まる。具体的には、これは、イルミネータＩＬの光学部品及びスリットＳＬ（複数の個別に移動可能なフィンガにより規定される）によって決まる。一般的に、基板Ｗ上のポイントｒは、２つの座標ｘ，ｙにより規定できる。例えば、座標ｙはスキャン方向でのｒの位置を規定し、座標ｘはスキャン方向に対してほぼ垂直な方向でのｒの位置を記述することができる。無次元分布ｓ（ｒ，ｔ）の値は、スキャン方向（ｙ）におけるｒの位置によって決まり、スキャン方向に対して垂直な方向（ｘ）のｒの位置とは無関係であり得る。そのような実施形態において、放射のプロファイルは、スキャン方向での放射プロファイルの全体的な形状を記述し、ｙ＝ｖｔで求められる１次元関数ｆ（ｙ）によって記述することができる。スキャン方向での放射帯のプロファイルは、例えば「シルクハット（ｔｏｐ  ｈａｔ）」形状、台形のような形状、又は上部を切ったガウス分布（又は「ガウス分布のような」形状等、任意の好都合な形状を有し得る。
【００６９】
[0065]  式１から、マスクＭＡが存在しない場合（すなわちｍ＝１）、基板上のポイント（位置ｙ）により受光されるドーズ量Ｅ（ｙ）は、放射帯のプロファイル及び放射源のパワー密度のたたみ込みによって与えられることがわかる。
【００７０】
[0066]  放射源ＳＯは、パルス周波数ｆpでパルスを出力する放射ビームを生成することができる。例えば放射源ＳＯは、パルス周波数ｆpを有するパルス状放射ビームを生成するレーザ（例えばエキシマレーザ）を含み得る。そのような構成では、基板Ｗ上の所与のポイントにより受光される放射ドーズ量は、各パルスが送出する放射ドーズ量の（その所与のポイントを照射する全てのパルスの）和である。所与のポイントのドーズ量に寄与するパルス数を決定するのは、そのポイントが放射帯をスイープして通過するために要する時間、パルス周波数ｆp、及び、所与のポイントがプロファイルの前縁を通過する際の放射パルス列の位相、すなわち、プロファイルの前縁を通過する所与のポイントとそれを照射する第１のパルスとの間で経過する時間量である。放射帯があるポイントをスイープして通過するために要する時間は、放射帯の幅と基板Ｗが放射に対して移動する速度ｖとの比によって与えられる。
【００７１】
[0067]  パルス状放射源ＳＯを利用する実施形態では、放射ビームのパワー密度は、放射源のパルス列によって決まる。例えば以下の通りである。
【数４】
0006297211.tif 000005
【００７２】
ここで、Ｉ0（ｔ）は放射源のパワー密度の振幅であり、ｐ（ｔ）は無次元パルス波形である。Ｉ0（ｔ）は同等の連続放射源のパワー密度と見なすことができ、パルス波形はこれがパルス周波数ｆpでどのようにサンプリングされるかを記述する。パルス状放射は任意のパルス列を有し得る。パルスの形状、持続時間、及び周波数は、所望の通りに又は必要に応じて選択すればよい。パルス周波数は例えば、約０．１７ｍｓのパルス時間期間と同等である約６ＫＨｚとすればよい（しかしながら、他のパルス周波数も使用可能である）。パルスの持続時間は、パルス列の時間期間よりも著しく短い場合がある。例えば、パルス列の時間期間とパルスの持続時間との比は１０００のオーダーであり得る（又は他の何らかの値であり得る）。パルスの持続時間は例えば約１５０ｎｓとすればよい（しかしながら、他のパルス持続時間も使用可能である）。
【００７３】
[0068]  本発明のある実施形態において、コントローラＣＮは、イルミネータＩＬの相対速度ｖsに応じて、式（２）とは異なる方法で、放射源のパワー（又はパルス状放射源の各パルスのパルスエネルギ）を制御する制御信号を、放射源ＳＯ（例えばレーザ）に出力するように動作可能である。具体的には、コントローラは、基板Ｗに入射する放射照度のさらに高精度の解析を考慮に入れたパラメータ化を用いることができる。例えばコントローラＣＮは、以下に従って放射源のパワーを制御する制御信号を放射源ＳＯ（例えばレーザ）に出力するように動作可能である。
【数５】
0006297211.tif 000006
【００７４】
ここで、ｆは、１に近いが１ではない場合があるパラメータである。例えば、ｆは約０．９９５とすればよい。
【００７５】
[0069]  パラメータｆの値は、基板Ｗの表面上でのドーズ量変動の低減を最適化するように選択すればよい。パラメータｆの値は、イルミネータＩＬの光学部品に依存し得る。具体的には、パラメータｆは、イルミネータＩＬの瞳面における強度分布の形状に依存し得る（例えばこれは、イルミネータＩＬの瞳面における強度分布の外側半径範囲、内側半径範囲、及び／又は角度範囲に依存し得る）。これに加えて又はこの代わりに、パラメータｆは、複数の個別に移動可能なフィンガの位置によって規定されるイルミネータＩＬのスリットＳＬの形状に依存し得る。これに加えて又はこの代わりに、パラメータｆは、イルミネータＩＬの開口数に依存し得る。これに加えて又はこの代わりに、パラメータｆは、イルミネータＩＬの振動の周波数スペクトルに依存し得る。
【００７６】
[0070]  図２及び図３は、フレームＭＦに対するイルミネータＩＬの振動から生じる３シグマドーズ量変動（換算単位）のシミュレーションの結果を、前記振動の周波数の関数として示す。換算単位の３シグマドーズ量変動は、（百分率での）３シグマドーズ量変動と（任意の長さ単位での）スリットＳＬ振動の振幅との比として定義される。３シグマドーズ量変動は、ドーズ量の標準偏差の３倍と平均ドーズ量との比として定義される。図３は、図２のグラフの拡大部分をさらに小さいスケールで示す。
【００７７】
[0071]  第１の曲線２１０は、イルミネータＩＬ及びフレームＭＦの相対移動に対して補正を行わない場合のドーズ量変動を示す。曲線２１０は周期変動し、多くの周期的で交番する最大値２１１及び最小値２１２を有する。最小値２１２は、基板Ｗの露光時間（すなわち、放射帯が基板上の各ポイントを通過するため要する時間）が整数の振動期間とほぼ等しい振動周波数に対応する。さらに、周期的な最大値２１１の大きさは、振動周波数が高くなるにつれて低減する。
【００７８】
[0072]  第２の曲線２２０は、イルミネータＩＬ及びフレームＭＦの相対移動に対して式（２）に基づく補正を行った場合の、（曲線２１０と同じスケールではっきり見やすいように）２００倍にしたドーズ量変動を示す。また、曲線２２０は周期変動し、多くの周期的で交番する最大値２２１及び最小値２２２を有する。周期的な最大値２２１の大きさは、ほぼ同じである。
【００７９】
[0073]  第３の曲線２３０は、イルミネータＩＬ及びフレームＭＦの相対移動に対して、パラメータｆ＝０．９９４を用いて式（６）に基づく補正を行った場合の、（曲線２１０と同じスケールではっきり見やすいように）２００倍にしたドーズ量変動を示す。また、曲線２３０は周期変動し、多くの周期的で交番する最大値２３１及び最小値２３２を有する。周期的な最大値２３１の大きさは、振動周波数が高くなるにつれて低減する。
【００８０】
[0074]  全ての３つの曲線２１０、２２０、２３０は、イルミネータＩＬのフィンガの全てを放射ビームＰＢの経路から完全に後退させる状況に対応している。図２は、式（２）に基づく補正を適用することで、少なくとも比較的低い周波数では、３シグマドーズ量変動の全体的なスケールが約１００分の１に低減することを示す。さらに、比較的低い周波数では、ｆ＝０．９９４を用いて式（６）に基づく補正を適用することで、３シグマドーズ量変動のさらなる（比較的小さい）低減が達成され得る。より高い周波数では、ｆ＝０．９９４を用いて式（６）に基づく補正を適用することで達成される換算単位の３シグマドーズ量変動の低減は、式（２）に基づく補正を適用することで達成される低減よりも小さい。イルミネータＩＬとフレームＭＦとの間の結合の性質のため、イルミネータＩＬに誘発される振動は比較的低い周波数であると予想できる。
【００８１】
[0075]  図４は、イルミネータＩＬのフィンガを部分的に放射ビームＰＢの経路に挿入した場合の、フレームＭＦに対するイルミネータＩＬの振動から生じる３シグマドーズ量変動（換算単位）のシミュレーションの結果を、前記振動の周波数の関数として示す。具体的には、フィンガは、約１０％の放射ビームＰＢの減衰を生じるように放射ビームＰＢの経路に挿入される。第１の曲線３１０は、イルミネータＩＬ及びフレームＭＦの相対移動に対して補正を行わない場合のドーズ量変動を示し、第２の曲線３２０は、式（２）に基づく補正を行った場合の、（曲線３１０と同じスケールではっきり見やすいように）２５倍にしたドーズ量変動を示し、第３の曲線２３０は、パラメータｆ＝０．９９４を用いて式（６）に基づく補正を行った場合の、（曲線２１０と同じスケールではっきり見やすいように）２５倍にしたドーズ量変動を示す。
【００８２】
[0076]  図４は、約１０％の減衰を生じるようにイルミネータＩＬのフィンガを挿入して、式（２）に基づく補正を適用することにより、換算単位の３シグマドーズ量変動の全体的なスケールが低減し、その低減率は振動周波数が高くなるにつれて大きくなることを示している。さらに、約１０％の減衰を生じるようにイルミネータＩＬのフィンガを挿入して、ｆ＝０．９９４を用いて式（６）に基づく補正を適用することにより達成される低減は実質的に改善しない。従って、ｆが１と異なるパラメータ化を用いることには、ほとんど利点がない場合がある。しかしながら、フィンガを用いた約１０％の減衰は極めて高いことに留意すべきである。実際には１０％未満の減衰が使用されることがあり、一般的に、減衰レベルはイルミネータＩＬのスリットＳＬの長さに沿って異なる。
【００８３】
[0077]  これより、レーザにより出力されるパルス状レーザビームの各パルスのエネルギ又はパワーを調整することができる機構について説明する。
【００８４】
[0078]  放射源ＳＯにはエネルギが供給される。例えば放射源がレーザである実施形態では、外部ソースによってレーザの利得媒質にエネルギを供給することができる。このプロセスはポンピングとして知られ、外部ソースは、電力供給（電気ポンピング）、電磁放射（光ポンピング）、ガス流（ガスダイナミックポンピング）、又は他の何らかの適切なエネルギ源を含み得る。外部パワーソースを調整可能なものとすることで、利得媒質に供給される励起パワー量を変動させることができる。外部パワーソースは、利得媒質に供給されるパワーを変動させるように変化させ得る１つ以上の入力変数を備えてもよい。例えばエキシマレーザ等のガスレーザの場合、外部パワーソースは、高電圧が印加される１対の放電導体を含み得る。そのような実施形態では、導体に印加する電圧を変化させることによって、利得媒質に供給されるパワーを変動させ得る。水銀ランプ等のガス放電ランプの場合、外部パワーソースは、電圧が印加されて電気アークを確立及び維持する１対の主電極を含み得る。そのような実施形態では、主電極に印加する電圧を変化させることによって、利得媒質に供給されるパワーを変動させ得る。
【００８５】
[0079]  一般的に、レーザビームのパワーは、外部パワーソースによって供給される励起パワーに依存する。外部電力供給の１つ以上の変数（例えば１対の放電導体に印加される高電圧）とビームのパワーとの関係が既知である場合、それに従って変数の値を選択することによって所望のパワーを達成できる。この関係は、較正プロセス中に決定され得る１つ以上の自由パラメータを用いた多項式としてパラメータ化することができる。さらに、この関係は時間と共に変動することがあり、従って定期的に較正を実行することが必要であり得る。
【００８６】
[0080]  例えばエキシマレーザの場合、レーザのパワーは、２つの導体に印加される高電圧Ｖに依存する。一般的に、この関係は非線形である。しかしながら、実際に用いられる電圧Ｖの範囲では、レーザのパワーＰは電圧Ｖの多項式展開によって充分に近似され得る。電圧Ｖの充分に小さい範囲では、パワーＰと電圧との関係は以下の線形関係によって近似することができる。
【数６】
0006297211.tif 000007
【００８７】
ここで、レーザの利得Ｇ及びオフセットＯは、較正プロセス中に決定できるパラメータである。より大きい電圧範囲では、電圧ＶとパワーＰとの関係をパラメータ化するため、より調整可能なパラメータを用いた高次多項式が必要となり得る。
【００８８】
[0081]  実際、（例えば放射センサにより測定されるような）放射源ＳＯの出力パワーＰは、ノイズ要素を含む。従って較正プロセスでは、長期間のデータを用いて、外部電力供給の１つ以上の変数とパワーとの関係において用いられるパラメータを評価すればよい。パラメータの値は、リソグラフィ装置が動作する時間の経過と共にドリフトすることがあり、このためパラメータは較正プロセスを用いて定期的に決定することができる。
【００８９】
[0082]  パワーＰは、放射センサＲＳによって測定することができる。放射センサＲＳは、放射センサＲＳに入射する放射のエネルギを測定するのに適した任意のセンサとすればよい。例えば、放射センサＲＳはフォトダイオードとすればよい。放射センサＲＳは、放射源ＳＯにより生成された放射ビームの少なくとも一部が放射センサＲＳに入射するように位置決めすることができる。放射源ＳＯにより生成された放射ビームの少なくとも一部だけが放射センサＲＳに入射する実施形態では、放射センサＲＳにより受けられるドーズ量の測定値から基板Ｗにより受けられるドーズ量を決定できるように、両者の関係が既知でなければならない。
【００９０】
[0083]  図１に放射センサＲＳの例示的な位置決めが示されている。イルミネータＩＬ内に、部分的に透過性のミラー１００が位置決めされている。部分的に透過性のミラー１００は、放射ビームの第１の部分１０１を放射センサＲＳに反射する。放射ビームの残り１０２は部分的に透過性のミラー１００によって透過され、パターニングデバイスＭＡへ伝わる。部分的に透過性のミラー１００によって反射される放射ビームの部分（第１の部分１０１）は、例えば放射ビームの約数パーセント、又はそれ以下であり得る。この部分が既知である場合、部分的に透過性のミラー１００によって透過される放射ビーム１０２のエネルギは、放射センサＲＳによる測定値を用いて計算することができる。この部分が既知でない場合、基板を第２の放射センサ（図示せず）と取り替え、双方の放射センサにより測定されるエネルギを比較することで、第２の放射センサを用いた放射センサＲＳの較正を行えばよい。
【００９１】
[0084]  他の実施形態では、部分的に透過性のミラー１００及び放射センサＲＳは、放射ビームの経路に沿った他の位置に配置してもよい。例えば、部分的に透過性のミラー１００及び放射センサＲＳは、イルミネータＩＬの前段（例えばビームデリバリシステム内）に位置決めしてもよい。
【００９２】
[0085]  本発明の実施形態は、放射システム及びフレームの相対運動の結果としての基板により受光されるエネルギドーズ量の変動を低減させるように、フレームに対する放射システムの速度を示す量に応じて放射ビームのパワーを制御するよう動作可能である。従って、放射システム及びフレームの相対運動の結果としての基板により受光されるエネルギドーズ量の変動は、少なくとも部分的に補正される。
【００９３】
[0086]  上述の実施形態は、イルミネータＩＬに搭載された加速度計ＡＣを用いてスキャン方向でのスリットＳＬの瞬間速度を決定するが、フレームに対するイルミネータの速度を示す量を決定するように動作可能な他の機構も用い得る。例えば、１つのそのような機構は、フレームＭＦに対する放射帯の移動を直接測定するように動作可能な、フレームＭＦに搭載されたカメラを含み得る。
【００９４】
[0087]  放射ビームのパワーは、放射ビームがエネルギを供給する割合（ｒａｔｅ）である。パワーは、単位時間当たりのエネルギ単位を有する（例えばＷ）。表面に入射する放射ビームの放射照度は、その表面に入射する放射ビームの単位面積当たりのパワーである。放射照度は、単位面積当たりの単位時間当たりのエネルギ単位を有する（例えばＷｍ-2）。上記の開示において、「パワー」及び「放射照度」という用語は交換可能に用いることができ、その意味は使用の文脈から明らかとなる。
【００９５】
[0088]  上記の開示では、基板Ｗにより受光される単位面積当たりのエネルギ量を、「放射のドーズ量」、「エネルギのドーズ量」、「エネルギドーズ量」、又は「ドーズ量」として交換可能に称することがある。
【００９６】
[0089]  放射源ＳＯはレーザを含むものとして説明したが、放射源ＳＯは任意の形態の放射源ＳＯとすればよい。例えば放射源ＳＯは、ＥＵＶ放射源（例えば放電生成プラズマ源、レーザ生成プラズマ源、もしくは自由電子レーザ）、又はランプ型光源（例えば水銀放電ランプ）とすればよい。
【００９７】
[0090]  本発明の一実施形態について、透過型光学部品を使用するＤＵＶリソグラフィ装置の文脈で上述したが、本発明は、反射型光学部品を用いたＥＵＶリソグラフィ装置に適用することも可能である。
【００９８】
[0091]  以上、本発明の特定の実施形態を説明したが、説明とは異なる方法でも本発明を実践できることが理解される。上記の説明は例示的であり、限定的ではない。
【図１】
0006297211.tif 000008
【図２】
0006297211.tif 000009
【図３】
0006297211.tif 000010
【図４】
0006297211.tif 000011